(57)【特許請求の範囲】
【請求項１】
主レンズ系の像側に装着され、全系の焦点距離を短縮させるコンバーターレンズであって、
前記主レンズ系のレンズ全長と前記主レンズ系に前記コンバーターレンズを装着したときのレンズ全長は同一であって、
前記コンバーターレンズは、最も広い空気間隔を隔てて物体側より像側へ順に配置された、正の屈折力の第１群、負の屈折力の第２群より構成され、
前記第１群の焦点距離をＦＰ、前記第２群の焦点距離をＦＮ、前記コンバーターレンズの最も物体側のレンズ面の曲率半径をＲＡ、前記コンバーターレンズの最も像側のレンズ面の曲率半径をＲＢとするとき、
−５．０＜ＦＮ／ＦＰ＜−１．５
０．５＜（ＲＡ＋ＲＢ）／（ＲＡ−ＲＢ）＜４．０
なる条件式を満足することを特徴とするコンバーターレンズ。
【請求項２】
前記第１群は像側に凸面を向けたメニスカス形状の正レンズより構成され、前記第２群は像側に凸面を向けたメニスカス形状の負レンズより構成されることを特徴とする請求項１に記載のコンバーターレンズ。
【請求項３】
前記第１群は像側に凸面を向けたメニスカス形状の正レンズより構成され、前記第２群は２枚の像側に凸面を向けたメニスカス形状の負レンズより構成されることを特徴とする請求項１に記載のコンバーターレンズ。
【請求項４】
前記主レンズ系と該主レンズ系の像側に配置可能な請求項１乃至３のいずれか１項に記載のコンバーターレンズを有することを特徴とする光学系。
【請求項５】
前記主レンズ系のバックフォーカスをＳＫＭ、前記主レンズ系に前記コンバーターレンズを装着したときのバックフォーカスをＳＫＣとするとき、
０．６０＜ＳＫＣ／ＳＫＭ＜０．９０
なる条件式を満足することを特徴とする請求項４に記載の光学系。
【請求項６】
前記主レンズ系の焦点距離をＦＭ、前記コンバーターレンズの焦点距離をＦＣとするとき、
６．０＜ＦＣ／ＦＭ＜１２．０
なる条件式を満足することを特徴とする請求項４又は５に記載の光学系。
【請求項７】
前記主レンズ系に前記コンバーターレンズを装着したときの、近軸的な前記コンバーターレンズの物体距離および像距離をそれぞれＳＣおよびＳＣ’とし、前記コンバーターレンズの主点間距離をＨＨ’とするとき、
０．８０＜（ＨＨ’＋ＳＣ’）／ＳＣ＜１．２０
なる条件式を満足することを特徴とする請求項４乃至６のいずれか１項に記載の光学系。
【請求項８】
前記主レンズ系は、物体側より像側に順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より構成され、ズーミングに際して隣り合うレンズ群の間隔が変化することを特徴とする請求項４乃至７のいずれか１項に記載の光学系。
【請求項９】
請求項４乃至８のいずれか１項の光学系と、該光学系によって形成される像を受光する撮像素子を有することを特徴とする撮像装置。
【発明の詳細な説明】
【技術分野】
【０００１】
本発明は、コンバーターレンズ及びそれを有する光学系に関し、例えば銀塩フィルムカメラ、デジタルスチルカメラ、ビデオカメラ等の撮像装置に用いる撮像光学系として好適なものである。
【背景技術】
【０００２】
従来、撮像光学系である主レンズ系の物体側又は像側に着脱可能に装着して、全系の焦点距離を短い方向に変化させるコンバーターレンズが広く知られている。このうち、主レンズ系の像側に装着し、全系の焦点距離を短い方法に変化させるリアー方式のコンバーターレンズが知られている（特許文献１）。このリアー方式のコンバーターレンズを用いると、撮像範囲を容易に拡大することができ、しかも焦点距離の切り替え時間が少なく、撮像機会を逃すことが少ないという特長がある。また全系が大型化することが少なく、携帯性が良く、製造が容易である等の特長がある。
【０００３】
特許文献１では物体側から像側へ順に、正レンズ、負レンズよりなり、又は負レンズ、正レンズよりなり、全体として正の屈折力よりなるリアー方式のコンバーターレンズを開示している。特許文献２では物体側から像側へ順に、正レンズ、負レンズ、正レンズよりなり全体として正の屈折力よりなりリアー方式のコンバーターレンズを開示している。
【先行技術文献】
【特許文献】
【０００４】
【特許文献１】特開昭６２−５６９１６号公報
【特許文献２】特開昭６２−２３１９１９号公報
【発明の概要】
【発明が解決しようとする課題】
【０００５】
リアー方式のコンバーターレンズは全系の大型化を防止しつつ全系の焦点距離を迅速にしかも容易に変化させることができるという特徴がある。しかしながら主レンズ系の像側にコンバーターを装着したときに主レンズ系と像面の距離が変化すると、コンバーターレンズを装着するとき、まず主レンズ系を着脱するなどして主レンズ系と像面の距離を変えて使う必要がある。そうすると迅速に全系の焦点距離を切り替えることが困難となる。
【０００６】
このためリアー方式のコンバーターレンズを用いて全系の焦点距離を短い方向に変化させるときには、コンバーターレンズを装着したときレンズ全長が変化しないことが重要になってくる。この他、コンバーターレンズを装着したとき収差変動が少なく光学特性の低下が少ないことも重要になってくる。このため、リアー方式のコンバーターレンズを用いて全系の焦点距離を短くするとき、コンバーターレンズのレンズ構成を適切に構成することが重要になってくる。
【０００７】
コンバーターレンズのレンズ構成を適切に設定しないとコンバーターレンズを装着したときに収差変動が増大し、光学性能が大きく低下してくる。特に全系の焦点距離をより短くすると、それに応じて収差変動が増大し、光学性能が大きく低下してくる。
【０００８】
本発明は、主レンズ系の像側に装着し、装着した際にレンズ全長が変わらず全系の焦点距離を容易に切り替えることができるコンバーターレンズの提供を目的とする。更に全系の焦点距離を短縮する際の収差変動が少なく、高い光学性能を維持することができるコンバーターレンズ及びそれを有する光学系の提供を目的とする。
【課題を解決するための手段】
【０００９】
本発明のコンバーターレンズは、主レンズ系の像側に装着され、全系の焦点距離を短縮させるコンバーターレンズであって、
前記主レンズ系のレンズ全長と前記主レンズ系に前記コンバーターレンズを装着したときのレンズ全長は同一であって、
前記コンバーターレンズは、最も広い空気間隔を隔てて物体側より像側へ順に配置された、正の屈折力の第１群、負の屈折力の第２群より構成され、
前記第１群の焦点距離をＦＰ、前記第２群の焦点距離をＦＮ、前記コンバーターレンズの最も物体側のレンズ面の曲率半径をＲＡ、前記コンバーターレンズの最も像側のレンズ面の曲率半径をＲＢとするとき、
−５．０＜ＦＮ／ＦＰ＜−１．５
０．５＜（ＲＡ＋ＲＢ）／（ＲＡ−ＲＢ）＜４．０
なる条件式を満足することを特徴としている。
【発明の効果】
【００１０】
本発明によれば、主レンズ系の像側に装着し、装着した際にレンズ全長が変わらず全系の焦点距離を容易に切り替えることができ、しかも全系の焦点距離を短縮する際の収差変動が少なく、高い光学性能を維持することができるコンバーターレンズが得られる。
【図面の簡単な説明】
【００１１】
【図１】実施例１の光学系の広角端におけるレンズ断面図
【図２】（Ａ）、（Ｂ）  実施例１の光学系の無限遠合焦時の広角端、望遠端における縦収差図
【図３】実施例１のコンバーター装着時の広角端における無限遠合焦時の縦収差図
【図４】実施例２の光学系の広角端におけるレンズ断面図
【図５】（Ａ）、（Ｂ）  実施例２の光学系の無限遠合焦時の広角端、望遠端における縦収差図
【図６】実施例２のコンバーター装着時の広角端における無限遠合焦時の縦収差図
【図７】実施例３の光学系の広角端におけるレンズ断面図
【図８】（Ａ）、（Ｂ）  実施例３の光学系の無限遠合焦時の広角端、望遠端における縦収差図
【図９】実施例３のコンバーター装着時の広角端における無限遠合焦時の縦収差図
【図１０】実施例４の光学系の広角端におけるレンズ断面図
【図１１】（Ａ）、（Ｂ）  実施例４の光学系の無限遠合焦時の広角端、望遠端における縦収差図
【図１２】実施例４のコンバーター装着時の広角端における無限遠合焦時の縦収差図
【図１３】本発明の光学機器（撮像装置）の要部概略図
【発明を実施するための形態】
【００１２】
以下に、本発明のコンバーターレンズ及びそれを有する光学系について説明する。本発明のコンバーターレンズは、主レンズ系の像側に装着して、全系の焦点距離を短縮させる（短くする）。
【００１３】
主レンズ系のレンズ全長と主レンズ系にコンバーターレンズを装着したときのレンズ全長は同一である。ここでレンズ全長とは主レンズ系がズームレンズのときは広角端におけるレンズ全長である。コンバーターレンズは、最も広い空気間隔を隔てて物体側より像側へ順に配置された正の屈折力の第１群、負の屈折力の第２群より構成されている。
【００１４】
本発明の光学系は、主レンズ系と主レンズ系の像側にコンバーターレンズを有する。光学系は主に撮像装置用の撮像光学系として用いられる。
【００１５】
図１は本発明の光学系の実施例１の広角端におけるレンズ断面図である。図２（Ａ）、（Ｂ）は実施例１の光学系において主レンズ系ＯＬｍ単体で無限遠物体にフォーカスを合わせたときの広角端、望遠端における縦収差図である。図３は実施例１の光学系において主レンズ系ＯＬｍの広角端でコンバーターレンズＯＬｃを装着した状態で無限遠物体にフォーカスを合わせたときの縦収差図である。
【００１６】
図４は本発明の光学系の実施例２の広角端におけるレンズ断面図である。図５（Ａ）、（Ｂ）は実施例２の光学系において無限遠物体にフォーカスを合わせたときの広角端、望遠端における縦収差図である。図６は実施例２の光学系において主レンズ系ＯＬｍの広角端でコンバーターレンズＯＬｃを装着した状態で無限遠物体にフォーカスを合わせたときの縦収差図である。
【００１７】
図７は本発明の光学系の実施例３の広角端におけるレンズ断面図である。図８（Ａ）、（Ｂ）は実施例３の光学系において無限遠物体にフォーカスを合わせたときの広角端、望遠端における縦収差図である。図９は実施例３の光学系において主レンズ系ＯＬｍの広角端でコンバーターレンズＯＬｃを装着した状態で無限遠物体にフォーカスを合わせたときの縦収差図である。
【００１８】
図１０は本発明の光学系の実施例４の広角端におけるレンズ断面図である。図１１（Ａ）、（Ｂ）は実施例４の光学系において無限遠物体にフォーカスを合わせたときの広角端、望遠端における縦収差図である。図１２は実施例４の光学系において主レンズ系ＯＬｍの広角端でコンバーターレンズＯＬｃを装着した状態で無限遠物体にフォーカスを合わせたときの縦収差図である。図１３は本発明の光学系を有する撮像装置の要部概略図である。
【００１９】
レンズ断面図において左側が物体側（前方、拡大側）、右側が像側（後方、縮小側）である。ＯＬは光学系である。ＩＰは像面であり、ビデオカメラやデジタルスチルカメラの撮像光学系として用いる際には像面はＣＣＤセンサやＣＭＯＳセンサ等の固体撮像素子（光電変換素子）の撮像面に相当する。また銀塩フィルムカメラ用として用いる際には、像面はフィルム面に相当する。
【００２０】
ＯＡは光軸を表す。ＯＬｍは主レンズ系、ＯＬｃはコンバーターレンズである。ＬｐはコンバーターレンズＯＬｃを構成する正の屈折力の第１群、ＬｎはコンバーターレンズＯＬｃを構成する負の屈折力の第２群である。
【００２１】
本発明の光学系ＯＬは主レンズ系ＯＬｍと主レンズ系ＯＬｍの像側に装着して全系の焦点距離を短縮させるコンバーターレンズ（以下コンバーターとも言う）ＯＬｃを有している。主レンズ系ＯＬｍは物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５を有する。更に負の屈折力の第６レンズ群Ｌ６、正の屈折力の第７レンズ群Ｌ７を有する。そしてズーミングに際して隣り合うレンズ群の間隔が変化するズームレンズである。
【００２２】
ＳＰは開口絞りであり、第４レンズ群Ｌ４と第５レンズ群Ｌ５の間に位置している。矢印は広角端から望遠端へのズーミングに際しての移動軌跡を示している。尚、主レンズ系ＯＬｍは前述した構成のズームレンズに限らず、どのようなズームタイプのズームレンズでも良い。またズームレンズでなく単一焦点距離のレンズ系であっても良い。
【００２３】
収差図のうち、球面収差においてｄはｄ線（波長５８７．６ｎｍ）、ｇはｇ線（波長４３５．８ｎｍ）、ＣはＣ線（波長６５６．３ｎｍ）、ＦはＦ線（波長４８６．１ｎｍ）である。
【００２４】
非点収差図においてΔＭはｄ線のメリディオナル像面、ΔＳはｄ線のサジタル像面である。倍率色収差はｇ線、Ｆ線、Ｃ線によってあらわしている。またＦｎｏはＦナンバーである。ωは半画角（度）である。尚、各実施例において広角端と望遠端は変倍レンズ群が機構上、光軸方向において移動可能な範囲の両端に位置したときのズーム位置をいう。
【００２５】
本発明のコンバーターレンズＣＬｃは正の屈折力の第１群Ｌｐと負の屈折力の第２群Ｌｎを有する。第１群Ｌｐの焦点距離をｆｐ、第２群Ｌｎの焦点距離をｆｎとする。コンバーターレンズの最も物体側のレンズ面の曲率半径をｒａ、コンバーターレンズの最も像側のレンズ面の曲率半径をｒｂとする。このとき、
−５．０＜ｆｎ／ｆｐ＜−１．５                  ・・・（１）
０．５＜（ｒａ＋ｒｂ）／（ｒａ−ｒｂ）＜４．０  ・・・（２）
なる条件式を満足する。
【００２６】
第１群Ｌｐは像側に凸面を向けたメニスカス形状の正レンズより構成され、第２群Ｌｎは像側に凸面を向けたメニスカス形状の負レンズより成る。この他、第１群Ｌｐは像側に凸面を向けたメニスカス形状の正レンズより構成され、第２群Ｌｎは２枚の像側に凸面を向けたメニスカス形状の負レンズより成る。
【００２７】
主レンズ系ＯＬｍは単体としても諸収差が補正された状態である。このため、コンバーターレンズＯＬｃを主レンズ系ＯＬｍに装着したときにも良好な収差に保つためには、コンバーターレンズＯＬｃ自体でも諸収差が良好に補正されている必要がある。全系の短焦点距離化のためには当然、主レンズ系ＯＬｍに正の屈折力を持つコンバーターレンズＯＬｃを加える必要があるが、コンバーターレンズＯＬｃを正レンズのみで構成すると諸収差を良好に補正することが困難となる。
【００２８】
そこで本発明では、諸収差を良好に補正するためには、正の屈折力の第１群（レンズ要素）と負の屈折力の第２群より構成している。また、コンバーターレンズＯＬｃは全体として正の屈折力を持っているため、正の屈折力の第１群Ｌｐの屈折力（絶対値）の方が、負の屈折力の第２群Ｌｎの屈折力（絶対値）よりも強い（大きい）必要がある。
【００２９】
そこで本発明では、全体として諸収差を良好に補正するために、正の屈折力の第１群Ｌｐを物体側に配置し短焦点距離化を図り、その像側に比較的弱い負の屈折力の第２群Ｌｎを配置して第１群Ｌｐで発生した収差を緩やかに補正している。条件式（１）はこの第１群Ｌｐの焦点距離ｆｐ（ｍｍ）と第２群Ｌｎの焦点距離ｆｎ（ｍｍ）の比に関する。条件式（２）は、コンバーターレンズＯＬｃの最も物体側のレンズ面及び最も像側のレンズ面の曲率半径に関する。
【００３０】
条件式（１）の上限値を超えると、相対的に負の屈折力が強くなり、短焦点距離化の効果が薄れるため好ましくない。条件式（１）の下限値を超えると、相対的に正の屈折力が強くなり、全体として収差を良好に補正するのが困難となるため好ましくない。
【００３１】
条件式（２）はコンバーターレンズＯＬｃ全体のレンズ形状を規定する。コンバーターレンズＯＬｃを通過する軸外光束の諸収差を全体として良好に収差を補正するには、軸外光束の光線通過方向とレンズの球心方向が揃ったいわゆるコンセントリックに近いレンズ形状が望ましい。条件式（２）の下限値を超えるとコンバーターレンズＯＬｃの第１レンズ面もしくは最終レンズ面の正の屈折力が強くなり、特に球面収差や負の歪曲収差が増大するため好ましくない。
【００３２】
また条件式（２）の上限値を超えるとコンバーターレンズＯＬｃの第１レンズ面もしくは最終レンズ面の負の屈折力が強くなり、特に像面湾曲が増大するため好ましくない。条件式（１）、（２）の数値範囲は以下の範囲とすると、更に好ましい。
【００３３】
−４．０＜ｆｎ／ｆｐ＜−１．７                  ・・・（１ａ）
１．０＜（ｒａ＋ｒｂ）／（ｒａ−ｒｂ）＜３．０  ・・・（２ａ）
更に好ましくは、以下の範囲とするのが良い。
−３．５＜ｆｎ／ｆｐ＜−２．０                  ・・・（１ｂ）
１．５＜（ｒａ＋ｒｂ）／（ｒａ−ｒｂ）＜２．５  ・・・（２ｂ）
【００３４】
また、本発明のコンバーターレンズＯＬｃは物体側より像側へ順に、像側に凸面を向けたメニスカス形状の正レンズ、像側に凸面を向けたメニスカス形状の負レンズより構成すると、最小の構成枚数で収差も良好に補正できて良い。
【００３５】
各実施例の光学系ＯＬはズーム機能を有する主レンズ系ＯＬｍとコンバーターレンズＯＬｃより構成されている。各実施例の光学系ＯＬは特に主レンズ系ＯＬｍの広角端において、主レンズ系ＯＬｍの最も像側に配置されたレンズの像側にコンバーターレンズＯＬｃを着脱可能に配置することで、主レンズ系ＯＬｍの撮像画角よりも、さらに広画角化を図っている。
【００３６】
主レンズ系ＯＬｍの像側にコンバーターレンズＯＬｃを配置することで、主レンズ系ＯＬｍのズーミング動作に干渉することなくコンバーターレンズＯＬｃを配置して光学系全体の大型化を防止している。また、主レンズ系ＯＬｍの内部にコンバーターレンズＯＬｃを挿入する構成に比べて比較的少ないレンズ枚数でコンバーターレンズＯＬｃを構成することが容易である。かつ光学系ＯＬ中にその分のスペースを予め空ける必要がないため全系の大型化を防止するにも有利になっている。
【００３７】
また、主レンズ系ＯＬｍにコンバーターレンズＯＬｃを装着する前後で、レンズ全長（主レンズ系の最も物体側のレンズ面から像面までの距離）は同一又は略同一となっている。このため、コンバーターレンズＯＬｃの使用時に主レンズ系ＯＬｍを撮像素子等の像面を備えた撮像装置から着脱することなく、容易に焦点距離の切り替えができる構成となっている。
【００３８】
各実施例において、主レンズ系ＯＬｍはズーム機能を有するズームレンズより構成されている。主レンズ系ＯＬｍの第４レンズ群Ｌ４は合焦時に光軸に沿って移動するフォーカスレンズ群である。
【００３９】
各実施例の光学系ＯＬにおいて、好ましくは次の条件式のうち１つ以上を満足するのが良い。主レンズ系ＯＬＭのバックフォーカスをＳＫＭ、主レンズ系ＯＬＭにコンバーターレンズＯＬＣを装着したときのバックフォーカスをＳＫＣとする。主レンズ系ＯＬＭの焦点距離をＦＭ、コンバーターレンズＯＬＣの焦点距離をＦＣとする。主レンズ系ＯＬＭにコンバーターレンズＯＬＣを装着したときの、近軸的な物体距離、像距離をそれぞれＳＣ、ＳＣ’とし、コンバーターレンズＯＬＣの主点間距離をＨＨ’とする。
【００４０】
このとき次の条件式のうち１つ以上を満足するのが良い。
０．６０＜ｓｋｃ／ｓｋｍ＜０．９０            ・・・（３）
６．０＜ｆｃ／ｆｍ＜１２．０                  ・・・（４）
０．８０＜（ＨＨ’＋ｓｃ’）／ｓｃ＜１．２０  ・・・（５）
【００４１】
なお、主レンズ系ＯＬｍがズームレンズで、バックフォーカスがズーミングに際して可変の場合、バックフォーカスｓｋｍ及びｓｋｃはいずれも広角端で、無限遠合焦時のバックフォーカスである。バックフォーカスは最終レンズ面から像面までの距離である。また、ズームレンズで焦点距離が可変の場合、ｆｍは広角端における全系の焦点距離を指す。
【００４２】
次に条件式（３）について説明する。条件式（３）は主レンズ系ＯＬｍにコンバーターレンズＯＬｃの装着前後のバックフォーカスの変化を表している。条件式（３）の下限を下回り、コンバーターレンズＯＬｃの装着前後のバックフォーカスの変化が大きくなることは、コンバーターレンズＯＬｃのレンズ厚みが厚くなることを示す。この場合、元々主レンズ系ＯＬｍのバックフォーカスを長くしておく必要があり、光学系全体が大型化してしまうため好ましくない。
【００４３】
また条件式（３）の上限を上回り、コンバーターレンズＯＬｃの装着前後のバックフォーカスの変化が小さくなることは、コンバーターレンズＯＬｃの厚みが薄くなることを示す。コンバーターレンズＯＬｃの厚みが薄いとその分、主レンズ系ＯＬｍも含めた光学系全体が小型化するには有利だが、レンズ厚みが薄すぎるとそのスペースに必要な数のレンズを配置し良好に収差補正をすることが困難なため好ましくない。
【００４４】
条件式（３）の数値範囲は以下の範囲とすると、更に好ましい。
０．７０＜ｓｋｃ／ｓｋｍ＜０．８５      ・・・（３ａ）
更に好ましくは、条件式（３ａ）の数値範囲を以下の範囲とするのが良い。
０．７４＜ｓｋｃ／ｓｋｍ＜０．８３      ・・・（３ｂ）
【００４５】
条件式（４）は主レンズ系ＯＬｍの焦点距離とコンバーターレンズＯＬｃの焦点距離の比に関する。条件式（４）の下限値を下回り、相対的にコンバーターレンズＯＬｃの正の屈折力が強くなりすぎると、短焦点距離化の効果は強くなるが、球面収差や像面湾曲等の諸収差の変動が大きくなり好ましくない。また条件式（４）の上限値を上回り、相対的にコンバーターレンズＯＬｃの正の屈折力が弱くなりすぎると、短焦点距離化の効果が弱くなり好ましくない。条件式（４）の数値範囲は以下の範囲とすると、更に好ましい。
７．０＜ｆｃ／ｆｍ＜１１．０      ・・・（４ａ）
【００４６】
更に好ましくは、条件式（２ａ）の数値範囲を以下の範囲とするのが良い。
７．５＜ｆｃ／ｆｍ＜１０．５      ・・・（４ｂ）
【００４７】
条件式（５）はコンバーターレンズＯＬｃを、主レンズ系ＯＬｍに装着したときの近軸的なコンバーターレンズＯＬｃ自体の物体距離ｓｃ（ｍｍ）と像距離、ｓｃ’（ｍｍ）、そしてコンバーターレンズＯＬｃ自体の主点間距離をＨＨ’に関する。条件式（５）はコンバーターレンズＯＬｃを主レンズ系ＯＬｍに装着したときにレンズ全長を変化させないためのコンバーターレンズＯＬｃの近軸的な配置に関する。
【００４８】
主点間距離ＨＨ’が仮に０である場合、すなわち近軸的には薄肉レンズの状態であれば、物体距離ｓｃと像距離ｓｃ’が等しくなり、コンバーターレンズＯＬｃを装着したときにもレンズ全長が一定となる。ただし、この時は物体距離ｓｃと像距離ｓｃ’が等しいため薄肉レンズ自体が屈折力を持てずに短焦点距離化の効果が得られない。
【００４９】
一方、実際の光学系ではレンズの厚みは０ではない、いわゆる厚肉レンズの状態であり主点間距離ＨＨ’は必ずしも０とはならない。この場合、条件式（５）の中の分母と分子が等しい、つまり条件式（５）の値が１であれば、コンバーターレンズＯＬｃを装着したときにもレンズ全長が一定となる。また、このとき物体距離ｓｃと像距離ｓｃ’は等しくなくても良いため、コンバーターレンズＯＬｃ自体が屈折力を持ち、短焦点距離化の効果が得られることになる。
【００５０】
したがって、条件式（５）はコンバーターレンズＯＬｃに屈折力を持たせつつ、主レンズ系ＯＬｍに装着したときにもレンズ全長を同等に保つためのものであり、上限値又は下限値のいずれも外れると、レンズ全長が大きく変化するため好ましくない。
【００５１】
条件式（５）の数値範囲は以下の範囲とすると、更に好ましい。
０．９０＜（ＨＨ’＋ｓｃ’）／ｓｃ＜１．１０      ・・・（５ａ）
更に好ましくは、条件式（５ａ）の数値範囲を以下の範囲とするのが良い。
０．９５＜（ＨＨ’＋ｓｃ’）／ｓｃ＜１．０５      ・・・（５ｂ）
【００５２】
［実施例１］
以下、図１を参照して、本発明の実施例１の光学系について説明する。実施例１の光学系ＯＬを構成する主レンズ系ＯＬｍは焦点距離が１８．４ｍｍ〜１０４．０ｍｍのズームレンズである。また、主レンズ系ＯＬｍの広角端において主レンズ系ＯＬｍの像側にコンバーターレンズＯＬｃを装着することにより、広角端における全系の焦点距離を１８．４ｍｍから１５．４ｍｍへ短縮している。
【００５３】
コンバーターレンズＯＬｃは物体側より像側へ順に、正の屈折力の第１群Ｌｐ、負の屈折力の第２群Ｌｎよりなっている。第１群Ｌｐは像側に凸面を向けたメニスカス形状の正レンズ、第２群Ｌｎは像側に凸面を向けたメニスカス形状の負レンズよりなっている。このようなレンズ構成とすることで、図２、図３からわかるように主レンズ系ＯＬｍ単体及び、コンバーターレンズＯＬｃを装着したときにも収差が良好に補正されている。
【００５４】
また、主レンズ系ＯＬｍの広角端におけるバックフォーカスｓｋｍは４６．１３ｍｍ、コンバーターレンズＯＬｃを装着したときのバックフォーカスｓｋｃは３５．６５ｍｍであり、条件式（３）に相当する値は０．７７である。このようにバックフォーカスを長くとることで交換用レンズに適用可能な光学系となっている。また、主レンズ系ＯＬｍ及び主レンズ系ＯＬｍにコンバーターレンズＯＬｃを装着した際の広角端におけるレンズ全長は共に１４９．３ｍｍで同じとなっている。このためカメラ等に装着時も主レンズ系ＯＬｍを着脱することなく容易に広角側への切り替えが容易となっている。
【００５５】
このように、主レンズ系ＯＬｍにコンバーターレンズＯＬｃを装着した際にレンズ全長が変わらず容易に切り替えができ、全系の焦点距離を短縮する小型で高性能なコンバーターレンズ及びそれを有する光学系を得ることができる。
【００５６】
[実施例２]
以下、図４を参照して、本発明の実施例２の光学系について説明する。実施例２の光学系ＯＬを構成する主レンズ系ＯＬｍは焦点距離が１７．４ｍｍ〜８５．０ｍｍのズームレンズである。また、主レンズ系ＯＬｍの広角端において主レンズ系ＯＬｍの像側にコンバーターレンズＯＬｃを装着することにより、広角端における全系の焦点距離を１７．４ｍｍから１５．０ｍｍへ短縮している。
【００５７】
コンバーターレンズＯＬｃは物体側より像側へ順に、正の屈折力の第１群Ｌｐ、負の屈折力の第２群Ｌｎよりなっている。第１群Ｌｐは像側に凸面を向けたメニスカス形状の正レンズ、第２群Ｌｎは像側に凸面を向けたメニスカス形状の負レンズよりなっている。このようなレンズ構成とすることで、図５、図６からわかるように主レンズ系ＯＬｍ単体及び、コンバーターレンズＯＬｃを装着したときにも収差が良好に補正されている。
【００５８】
また、主レンズ系ＯＬｍの広角端におけるバックフォーカスｓｋｍは４４．３９ｍｍ、コンバーターレンズＯＬｃを装着したときのバックフォーカスｓｋｃは３５．５０ｍｍであり、条件式（３）に相当する値は０．８０である。このようにバックフォーカスを長くとることで交換用レンズに適用可能な光学系となっている。
【００５９】
また、主レンズ系ＯＬｍ及び主レンズ系ＯＬｍにコンバーターレンズＯＬｃを装着した際の広角端におけるレンズ全長は共に１４０．２ｍｍで同じとなっている。このためカメラ等に装着時も主レンズ系ＯＬｍを着脱することなく容易に広角側への切り替えが容易となっている。
【００６０】
このように、主レンズ系ＯＬｍにコンバーターレンズＯＬｃを装着した際にレンズ全長が変わらず容易に切り替えができ、全系の焦点距離を短縮する小型で高性能なコンバーターレンズ及びそれを有する光学系を得ることができる。
【００６１】
［実施例３］
以下、図７を参照して、本発明の実施例３の光学系について説明する。実施例３の光学系ＯＬを構成する主レンズ系ＯＬｍは焦点距離が１８．４ｍｍ〜１０４．０ｍｍのズームレンズである。また、主レンズ系ＯＬｍの広角端において主レンズ系の像側にコンバーターレンズＯＬｃを装着することにより、広角端における全系の焦点距離を１８．４ｍｍから１５．４ｍｍへ短縮している。コンバーターレンズＯＬｃは物体側より像側へ順に、正の屈折力の第１群Ｌｐ、負の屈折力の第２群Ｌｎよりなっている。
【００６２】
第１群Ｌｐは像側に凸面を向けたメニスカス形状の正レンズ、第２群Ｌｎは像側に凸面を向けたメニスカス形状の正レンズ及びメニスカス形状の負レンズよりなっている。このようなレンズ構成とすることで、図８、図９からわかるように主レンズ系ＯＬｍ単体及び、コンバーターレンズＯＬｃを装着したときにも収差が良好に補正されている。
【００６３】
また、主レンズ系ＯＬｍの広角端におけるバックフォーカスｓｋｍは４６．８８ｍｍ、コンバーターレンズＯＬｃを装着したときのバックフォーカスｓｋｃは３５．５０ｍｍであり、条件式（３）に相当する値は０．７６である。このようにバックフォーカスを長くとることで交換用レンズに適用可能な光学系となっている。
【００６４】
また、主レンズ系ＯＬｍ及び主レンズ系ＯＬｍにコンバーターレンズＯＬｃを装着した際の広角端におけるレンズ全長は共に１４９．２ｍｍで同じとなっている。このためカメラ等に装着時も主レンズ系ＯＬｍを着脱することなく容易に広角側への切り替えが容易となっている。このように、主レンズ系ＯＬｍにコンバーターレンズＯＬｍを装着した際にレンズ全長が変わらず容易に切り替えができ全系の焦点距離を短縮する小型で高性能なコンバーターレンズ及びそれを有する光学系を得ることができる。
【００６５】
［実施例４］
以下、図１０を参照して、本発明の実施例４の光学系について説明する。実施例４の光学系ＯＬを構成する主レンズ系ＯＬｍは焦点距離が１８．４ｍｍ〜１０４．０ｍｍのズームレンズである。また、主レンズ系ＯＬｍの広角端において主レンズ系ＯＬｍの像側にコンバーターレンズＯＬｃを装着することにより、広角端における全系の焦点距離を１８．４ｍｍから１５．４ｍｍへ短縮している。
【００６６】
コンバーターレンズＯＬｃは物体側より像側へ順に、正の屈折力の第１群Ｌｐ、負の屈折力の第２群Ｌｎよりなっている。第１群Ｌｐは像側に凸面を向けたメニスカス形状の正レンズ、第２群Ｌｎは像側に凸面を向けたメニスカス形状の正レンズ及び像側に凸面を向けたメニスカス形状の負レンズよりなっている。このようなレンズ構成とすることで、図１１、図１２からわかるように主レンズ系ＯＬｍ単体及び、コンバーターレンズＯＬｃを装着したときにも収差が良好に補正されている。
【００６７】
また、主レンズ系ＯＬｍの広角端におけるバックフォーカスｓｋｍは４６．９１ｍｍ、コンバーターレンズＯＬｃを装着したときのバックフォーカスｓｋｃは３５．５５ｍｍであり、条件式（３）に相当する値は０．７６である。このようにバックフォーカスを長くとることで交換用レンズに適用可能な光学系となっている。
【００６８】
また、主レンズ系ＯＬｍ及び主レンズ系ＯＬｍにコンバーターレンズＯＬｃを装着した際の広角端におけるレンズ全長は共に１４９．３ｍｍで同じとなっている。このためカメラ等に装着時も主レンズ系ＯＬｍを着脱することなく容易に広角側への切り替えが容易となっている。このように、主レンズ系ＯＬｍにコンバーターレンズＯＬｃを装着した際にレンズ全長が変わらず容易に切り替えができ、全系の焦点距離を短縮する小型で高性能なコンバーターレンズ及びそれを有する光学系を得ることができる。
【００６９】
図１３は本発明の光学系を有する一眼レフカメラ（撮像装置）の要部概略図である。図１３において、１０は実施例１乃至４の光学系１を有する撮像光学系である。光学系１は保持部材である鏡筒２に保持されている。２０はカメラ本体である。カメラ本体２０はクイックリターンミラー３、焦点板４、ペンタダハプリズム５、接眼レンズ６等によって構成されている。
【００７０】
クイックリターンミラー３は、撮像光学系１０からの光束を上方に反射する。焦点板４は撮像光学系１０の像形成位置に配置されている。ペンタダハプリズム５は焦点板４に形成された逆像を正立像に変換する。観察者は、その正立像を接眼レンズ６を介して観察する。７は感光面であり、像を受光するＣＣＤセンサやＣＭＯＳセンサ等の固体撮像素子（光電変換素子）や銀塩フィルムが配置される。撮像時にはクイックリターンミラー３が光路から退避して、感光面７上に撮像光学系１０によって像が形成される。
【００７１】
このように本発明の光学系を一眼レフカメラに適用することにより、高い光学性能を有する撮像装置を実現している。尚、本発明の光学系は、デジタルカメラ・ビデオカメラ・銀塩フィルム用カメラ等の他に望遠鏡、双眼鏡、複写機、プロジェクター等の光学機器にも適用できる。
【００７２】
以上、本発明の好ましい実施形態について説明したが、本発明はこれらの実施形態に限定されず、その要旨の範囲内で種々の変形及び変更が可能である。以下、実施例１乃至４の光学系の具体的な数値データを示す。
【００７３】
数値データは主レンズ系ＯＬｍのみのときを「主レンズ系ＯＬｍ」として示す。主レンズ系ＯＬｍに装着するコンバーターレンズＯＬｃを「コンバーター装着時データ」として示している。コンバーター装着時のデータは主レンズ系ＯＬｍの最終レンズ面との間隔とコンバーターレンズＯＬｃのレンズ構成を示している。数値データにおいて、ｉは物体から数えた順序を示す。面番号ｉは物体側から順に数えている。Ｒｉは第ｉ面の光学面の曲率半径（ｍｍ）、Ｄｉは第ｉ番目と第ｉ＋１番目の面間隔（ｍｍ）である。
【００７４】
Ｎｄｉとνｄｉはそれぞれｄ線に対する第ｉ面と第（ｉ＋１）面との間の媒質の屈折率と、アッベ数を表す。またＢＦはバックフォーカスであり、最終レンズ面から像面までの距離である。レンズ全長は第１レンズ面から最終レンズ面までの距離にバックフォーカスを加えた値である。また、非球面は面番号の後に、＊の符号を付加して表している。非球面形状は、Ｘを光軸方向の面頂点からの変位量、ｈを光軸と垂直な方向の光軸からの高さ、ｒを近軸曲率半径、Ｋを円錐定数、Ｂ、Ｃ、Ｄ、Ｅ、Ｆ・・・を各次数の非球面係数とするとき、
【００７５】
【数１】
0006671930.tif 000002
【００７６】
で表す。なお、各非球面係数における「Ｅ±ＸＸ」は「×１０±ＸＸ」を意味している。表１に前述の各条件式に関係したパラメータの数値を示す。表２に各実施例に対する前述の各条件式に相当する数値を示す。
【００７７】
[数値データ１]
単位 mm                         
主レンズ系ＯＬｍ                         
面番号  R          D         Nd        νd     光線有効径
1    154.473     2.00     1.84666     23.8     57.17
2     55.114     8.89     1.69680     55.5     53.75
3   2620.962     0.15                          52.76
4     46.267     6.14     1.80400     46.6     47.15
5    114.360     (可変)                        45.69
6     87.357     1.20     1.88300     40.8     25.82
7     10.766     6.65                          18.04
8*   -31.043     1.20     1.85135     40.1     17.89
9*    44.667     0.25                          18.19
10    45.041     4.87     1.84666     23.8     18.32
11   -22.383     0.15                          18.17
12   -22.464     1.00     1.77250     49.6     17.93
13   -84.282     (可変)                        17.63
14    40.892     3.15     1.63980     34.5     13.14
15   -36.791     (可変)                        13.40
16   -23.930     0.80     1.90366     31.3     13.31
17  -412.992     (可変)                        13.74
18(絞り) ∞      1.70                          14.22
19    63.856     3.91     1.59522     67.7     15.61
20   -23.150     0.15                          16.00
21    35.548     4.58     1.49700     81.5     15.69
22   -17.992     0.80     1.88300     40.8     15.22
23   -50.845     (可変)                        15.25
24   -53.391     3.32     1.90366     31.3     13.27
25   -13.919     0.80     1.83481     42.7     13.38
26    80.631     (可変)                        13.65
27    37.404     4.56     1.51823     58.9     16.67
28   -23.361     1.50     1.88300     40.8     17.07
29    27.515     0.15                          18.52
30*   25.975     6.12     1.58313     59.4     18.97
31   -21.842     (可変)                         20.04
像面    ∞                    
【００７８】
非球面データ                         
第8面                         
K=0.0000E+00     B=-1.9286E-05     C=7.3699E-08     D=-3.6965E-09
E=2.7179E-11     F=-1.7953E-13
第9面                         
K=0.0000E+00     B=-4.6012E-05     C=1.4317E-08     D=-1.6683E-09
E=6.5182E-12     F=-1.7725E-14
第30面                         
K=0.0000E+00     B=-1.7809E-05     C=6.2031E-08     D=-1.2627E-10
E=1.5332E-15     F=0.0000E+00
各種データ     広角端     中間     望遠端          
焦点距離       18.40      37.44    104.00           
Fno             4.00       4.64      5.89           
半画角ω（度） 36.59      20.04      7.48           
像高           13.66      13.66     13.66           
レンズ全長    149.30     165.77     191.31           
BF             46.13      55.66      70.03           
入射瞳位置     26.21      67.32     165.82           
射出瞳位置    -59.22     -46.67     -43.16           
前側主点位置   41.39      91.06     174.27           
後側主点位置   27.73      18.22     -33.97           
可変間隔                         
面番号  広角端     中間      望遠端          
5       1.00      18.63     36.44           
13     18.87      10.22      1.50           
15      2.91       3.86      4.61           
17      3.40       2.45      1.70           
23      1.50       5.35     11.96           
26     11.47       5.56      1.04           
31     46.13      55.66     70.03           
群データ                         
群   始面    焦点距離  レンズ構成長  前側主点位置  後側主点位置
1      1      76.24      17.18       3.14          -6.66 
2      6     -11.44      15.31       1.16         -10.69 
3     14      30.76       3.15       1.03          -0.92 
4     16     -28.14       0.80      -0.03          -0.45 
5     18      22.50      11.14       3.61          -4.23 
6     24     -44.36       4.12       0.62          -1.54 
7     27      60.44      12.33       8.38           0.23 
単レンズデータ                    
レンズ  始面     焦点距離               
1        1     -102.150               
2        2       80.680               
3        4       92.910               
4        6      -14.010               
5        8      -21.360               
6       10       18.270               
7       12      -39.930               
8       14       30.760               
9       16      -28.140               
10      19       29.030               
11      21       24.740               
12      22      -31.900               
13      24       20.040               
14      25      -14.160               
15      27       28.480               
16      28      -14.110               
17      30       21.350               
コンバーター装着時データ                    
面番号     R         D        Nd       νd     光線有効径
31                 0.96                          22.00
32     -76.149     3.49     1.48749     70.2     23.00
33     -26.824     1.00                          23.00
34     -20.661     5.03     1.84666     23.8     24.00
35     -25.497    35.65                          24.00
像面     ∞                    
各種データ     広角端                    
焦点距離       15.40                     
Fno             3.35                     
半画角ω（度） 41.57                     
像高           13.66                     
レンズ全長    149.30                     
BF             35.65                     
入射瞳位置     69.02                     
射出瞳位置   -138.68                     
前側主点位置   94.72                     
後側主点位置    4.31                     
群データ                         
群     始面     焦点距離  レンズ構成長  前側主点位置  後側主点位置
8      32       145.45      9.52         16.83          11.94 
単レンズデータ                    
レンズ     始面     焦点距離               
18         32       83.020               
19         34     -245.760               
【００７９】
[数値データ２]
単位 mm 
主レンズ系ＯＬｍ                         
面番号   R         D          Nd        νd   光線有効径
1     192.669     2.00     1.84666     23.8     56.24
2      63.372     8.05     1.69680     55.5     53.33
3   -1867.401     0.15                          52.42
4      47.793     6.21     1.80400     46.6     49.11
5     109.735     (可変)                        47.56
6      77.890     1.20     1.88300     40.8     26.14
7      10.239     6.97                          17.87
8*    -35.530     1.20     1.85135     40.1     17.74
9*     42.638     0.30                          18.38
10     62.861     5.17     1.84666     23.8     18.52
11    -21.621     0.15                          18.49
12    -22.725     1.00     1.77250     49.6     18.13
13    -57.275     (可変)                        17.92
14     32.677     3.08     1.63980     34.5     13.00
15    -49.635     (可変)                        13.01
16    -25.518     0.80     1.90366     31.3     12.56
17    488.328     (可変)                        12.89
18(絞り) ∞       1.70                          13.52
19     57.602     3.71     1.59522     67.7     14.65
20    -23.364     0.15                          15.01
21     35.932     4.31     1.49700     81.5     14.76
22    -17.481     0.80     1.88300     40.8     14.33
23    -45.051     (可変)                        14.36
24    -58.040     3.24     1.90366     31.3     12.71
25    -13.936     0.80     1.83481     42.7     12.82
26     67.344     (可変)                        13.06
27     32.882     3.76     1.51823     58.9     13.85
28    -25.385     1.20     1.88300     40.8     14.29
29     24.829     0.15                          15.30
30*    23.771     4.81     1.58313     59.4     15.61
31    -22.827     (可変)                        16.60
像面     ∞                    
【００８０】
非球面データ                         
第8面                         
K= 0.0000E+00     B=-4.8915E-05     C=4.0105E-07     D=-4.6628E-09
E=-3.1989E-12     F=-1.8329E-13
第9面                         
K= 0.0000E+00     B=-8.4785E-05     C=3.3742E-07     D=-2.1424E-09
E=-5.2293E-11     F=3.2639E-13
第30面                         
K= 0.0000E+00     B=-1.9992E-05     C=5.8793E-08     D=1.3723E-10
E=-2.0699E-12     F= 0.0000E+00
各種データ     広角端      中間    望遠端          
焦点距離       17.40      33.04    85.01           
Fno             4.00       4.73     5.81           
半画角ω（度） 38.14      22.46     9.13           
像高           13.66      13.66    13.66           
レンズ全長    140.23     156.33   181.29           
BF             44.39      54.03    65.72           
入射瞳位置     25.06      57.38   146.37           
射出瞳位置    -37.99     -34.62   -34.27           
前側主点位置   38.78      78.10   159.11           
後側主点位置   26.99      21.00   -19.28           
可変間隔                         
面番号     広角端      中間      望遠端          
5          1.00      16.76      36.95           
13        19.95      10.81       1.50           
15         3.16       3.79       3.63           
17         2.21       1.58       1.74           
23         1.50       4.42       9.79           
26         7.13       4.03       1.05           
31        44.39      54.03      65.72           
群データ                         
群    始面  焦点距離  レンズ構成長  前側主点位置 後側主点位置
1      1     81.68      16.41      2.76        -6.54 
2      6    -12.06      15.98      0.62       -12.42 
3     14     31.25       3.08      0.76        -1.15 
4     16    -26.82       0.80      0.02        -0.40 
5     18     21.59      10.67      3.63        -3.93 
6     24    -42.96       4.04      0.77        -1.33 
7     27     59.58       9.92      6.04        -0.57 
単レンズデータ                    
レンズ     始面     焦点距離               
1           1     -112.330               
2           2       88.110               
3           4      100.810               
4           6      -13.460               
5           8      -22.600               
6          10       19.550               
7          12      -49.390               
8          14       31.250               
9          16      -26.820               
10         19       28.410               
11         21       24.310               
12         22      -32.800               
13         24       19.610               
14         25      -13.770               
15         27       28.270               
16         28      -14.060               
17         30       20.760               
コンバーター装着時データ                    
面番号     R         D         Nd         νd    光線有効径
31                 0.76                            22.00
32     -72.417     2.99     1.48749      70.2      17.95
33     -27.178     1.18                            17.95
34     -20.826     3.96     1.90366      31.3      17.95
35     -25.600    35.50                            19.89
像面     ∞                    
各種データ     広角端                    
焦点距離       15.03                     
Fno            3.46                     
半画角ω（度）42.26                     
像高          13.66                     
レンズ全長   140.23                     
BF            35.50                     
入射瞳位置    25.06                     
射出瞳位置   -67.97                     
前側主点位置  37.91                     
後側主点位置  20.47                     
群データ                         
群     始面    焦点距離   レンズ構成長   前側主点位置   後側主点位置
8      32      175.48      8.12            16.02          11.64 
単レンズデータ                    
レンズ     始面     焦点距離               
18         32       87.350               
19         34     -203.680               
【００８１】
[数値データ３]
単位 mm                         
主レンズ系ＯＬｍ                         
面番号     R         D         Nd       νd     光線有効径
1      154.259     2.00     1.84666     23.8     57.21
2       55.419     8.86     1.69680     55.5     53.82
3     3146.986     0.15                          52.83
4       46.641     6.14     1.80400     46.6     48.53
5      113.457     (可変)                        47.18
6       86.789     1.20     1.88300     40.8     25.84
7       10.724     6.66                          18.03
8*     -32.256     1.20     1.85135     40.1     17.88
9*      43.504     0.26                          18.20
10      47.100     4.89     1.84666     23.8     18.33
11     -21.960     0.15                          18.19
12     -21.757     1.00     1.77250     49.6     17.97
13     -75.627     (可変)                        17.69
14      40.034     3.14     1.63980     34.5     13.10
15     -36.866     (可変)                        13.29
16     -23.856     0.80     1.90366     31.3     13.15
17    -538.047     (可変)                        13.57
18(絞り) ∞        1.70                          14.26
19      65.444     3.84     1.59522     67.7     15.38
20     -23.072     0.15                          15.77
21      35.117     4.61     1.49700     81.5     15.47
22     -17.976     0.80     1.88300     40.8     14.99
23     -49.973     (可変)                        15.01
24     -53.106     3.31     1.90366     31.3     13.30
25     -13.777     0.80     1.83481     42.7     13.40
26      77.788     (可変)                        13.68
27      38.675     4.45     1.51823     58.9     16.15
28     -22.613     1.57     1.88300     40.8     16.58
29      28.096     0.15                          18.05
30*     26.369     6.11     1.58313     59.4     18.48
31     -21.375     (可変)                        19.64
像面     ∞                    
【００８２】
非球面データ                         
第8面                         
K=0.0000E+00     B=-2.9968E-05     C=2.1471E-07     D=-4.7618E-09
E=2.8820E-11     F=-1.7953E-13
第9面                         
K=0.0000E+00     B=-5.8610E-05     C=1.7718E-07     D=-3.3039E-09
E=1.3290E-11     F=-2.8631E-14
第30面                         
K= 0.0000E+00     B=-1.8304E-05     C=6.1746E-08     D=-9.6580E-11
E=-1.8796E-13     F=0.0000E+00
各種データ     広角端     中間    望遠端          
焦点距離      18.40      36.75   104.02           
Fno            4.00       4.63     5.80           
半画角ω（度）36.59      20.39     7.48           
像高          13.66      13.66    13.66           
レンズ全長   149.18     165.66   191.22           
BF            46.88      56.34    69.45           
入射瞳位置    26.15      65.89   171.88           
射出瞳位置   -56.61     -45.26   -42.58           
前側主点位置  41.27      89.35   179.32           
後側主点位置  28.48      19.60   -34.57           
可変間隔                         
面番号  広角端     中間        望遠端          
5       1.00      18.31      37.32           
13     18.87      10.49       1.72           
15      2.87       3.89       4.66           
17      3.49       2.46       1.70           
23      1.50       5.04      11.39           
26     10.64       5.19       1.05           
31     46.88      56.34      69.45           
群データ                         
群   始面   焦点距離  レンズ構成長  前側主点位置 後側主点位置
1      1     76.97      17.15         3.07         -6.71 
2      6    -11.51      15.35         1.10        -10.83 
3     14     30.48       3.14         1.01         -0.93 
4     16    -27.64       0.80        -0.02         -0.44 
5     18     22.35      11.10         3.61         -4.21 
6     24    -43.52       4.11         0.64         -1.51 
7     27     60.28      12.27         8.64          0.58 
単レンズデータ                    
レンズ 始面   焦点距離               
1      1    -103.110               
2      2      80.860               
3      4      94.630               
4      6     -13.960               
5      8     -21.600               
6     10      18.280               
7     12     -39.860               
8     14      30.480               
9     16     -27.640               
10    19      29.130               
11    21      24.630               
12    22     -32.170               
13    24      19.790               
14    25     -13.960               
15    27      28.230               
16    28     -13.990               
17    30      21.250               
コンバーター装着時データ                    
面番号     R         D         Nd       νd     光線有効径
31                 0.91                          22.00
32     -78.645     3.46     1.48749     70.2     21.00
33     -26.763     1.01                          21.00
34     -20.745     4.00     1.77250     49.6     23.00
35     -20.860     0.50                          23.00
36     -20.790     1.50     1.90366     31.3     24.00
37     -25.409    35.50               
像面     ∞                    
各種データ     広角端                    
焦点距離       15.40                     
Fno             3.35                     
半画角ω（度） 41.57                     
像高           13.66                     
レンズ全長    149.18                     
BF             35.50                     
入射瞳位置     26.15                     
射出瞳位置   -138.72                     
前側主点位置   40.19                     
後側主点位置   20.10                     
群データ                         
群   始面   焦点距離   レンズ構成長  前側主点位置   後側主点位置
8     32     148.34      10.47         17.07          11.31 
単レンズデータ                    
レンズ 始面   焦点距離               
18     32     81.440               
19     34    344.030               
20     36    149.630               
【００８３】
[数値データ４]
単位 mm                         
主レンズ系ＯＬｍ                         
面番号   R          D         Nd        νd     光線有効径
1     154.666     2.00     1.84666     23.8     57.20
2      55.463     8.86     1.69680     55.5     53.81
3    3256.358     0.15                          52.83
4      46.589     6.14     1.80400     46.6     48.58
5     113.271     (可変)                        47.24
6      86.651     1.20     1.88300     40.8     25.83
7      10.742     6.65                          18.04
8*    -32.234     1.20     1.85135     40.1     17.88
9*     41.025     0.26                          18.19
10     44.306     4.88     1.84666     23.8     18.33
11    -22.449     0.15                          18.19
12    -22.319     1.00     1.77250     49.6     17.98
13    -77.358     (可変)                        17.71
14     40.545     3.13     1.63980     34.5     13.11
15    -36.500     (可変)                        13.25
16    -23.793     0.80     1.90366     31.3     13.11
17   -446.726     (可変)                        13.54
18(絞り) ∞       1.70                          14.22
19     64.866     3.84     1.59522     67.7     15.34
20    -23.157     0.15                          15.73
21     35.317     4.57     1.49700     81.5     15.44
22    -18.012     0.80     1.88300     40.8     14.96
23    -50.079     (可変)                        14.98
24    -53.317     3.31     1.90366     31.3     13.27
25    -13.832     0.80     1.83481     42.7     13.38
26     77.349     (可変)                        13.65
27     39.810     4.45     1.51823     58.9     16.18
28    -22.253     1.57     1.88300     40.8     16.61
29     28.769     0.15                          18.13
30*    26.636     6.18     1.58313     59.4     18.58
31    -21.242     (可変)                        19.77
像面     ∞                    
【００８４】
非球面データ                         
第8面                         
K=0.0000E+00     B=-3.2548E-05     C=2.8284E-07     D=-4.6220E-09
E=1.6818E-11     F=-1.0103E-13
第9面                         
K=0.0000E+00     B=-6.0721E-05     C=2.5509E-07     D=-3.5185E-09
E=5.5456E-12     F= 3.4440E-14
第30面                         
K= 0.0000E+00     B=-1.9019E-05     C=5.4483E-08     D=1.8757E-11
E=-8.3035E-13     F=0.0000E+00
各種データ     広角端     中間      望遠端          
焦点距離       18.40      36.90    104.00           
Fno             4.00       4.64      5.80           
半画角ω（度） 36.59      20.31      7.48           
像高           13.66      13.66     13.66           
レンズ全長    149.31     165.78    191.32           
BF             46.91      56.19     69.37           
入射瞳位置     26.16      66.19    172.08           
射出瞳位置    -57.47     -46.28    -43.28           
前側主点位置   41.31      89.80    180.07           
後側主点位置   28.51      19.29    -34.63           
可変間隔                         
面番号  広角端     中間       望遠端          
5       1.00      18.39      37.32           
13     18.89      10.37       1.68           
15      2.99       3.94       4.70           
17      3.41       2.46       1.70           
23      1.50       5.26      11.55           
26     10.67       5.22       1.05           
31     46.91      56.19      69.37           
群データ                         
群   始面  焦点距離  レンズ構成長  前側主点位置  後側主点位置
1     1     76.94      17.15        3.07          -6.71 
2     6    -11.48      15.34        1.12         -10.78 
3    14     30.51       3.13        1.02          -0.92 
4    16    -27.84       0.80       -0.02          -0.44 
5    18     22.40      11.07        3.61          -4.18 
6    24    -43.50       4.11        0.64          -1.51 
7    27     60.00      12.35        8.83           0.75 
単レンズデータ                    
レンズ 始面   焦点距離               
1      1    -103.080               
2      2      80.880               
3      4      94.550               
4      6     -13.990               
5      8     -21.040               
6     10      18.210               
7     12     -40.930               
8     14      30.510               
9     16     -27.840               
10    19      29.140               
11    21      24.700               
12    22     -32.230               
13    24      19.880               
14    25     -14.000               
15    27      28.240               
16    28     -14.010               
17    30      21.280               
コンバーター装着時データ                    
面番号     R         D         Nd       νd     光線有効径
31                 0.91                          22.00
32     -79.910     3.49     1.48749     70.2     23.00
33     -26.789     0.96                          23.00
34*    -20.737     4.00     1.77250     49.6     24.00
35     -20.873     0.50                          24.00
36     -20.781     1.50     1.90366     31.3     25.00
37     -25.413    35.55               
像面     ∞                    
非球面
データ                         
第34面                         
K=0.0000E+00     B=-2.4815E-06     C=7.8627E-08     D-1.0767E-09
E=6.9607E-12     F=-1.6419E-14
各種データ     広角端                    
焦点距離       15.39                     
Fno             3.35                     
半画角ω（度） 41.58                     
像高           13.66                     
レンズ全長    149.31                     
BF             35.55                     
入射瞳位置     26.16                     
射出瞳位置   -142.32                     
前側主点位置   40.22                     
後側主点位置   20.16                     
群データ                         
群   始面    焦点距離   レンズ構成長 前側主点位置 後側主点位置
8     32     148.20      10.45      17.07      11.34 
単レンズデータ                    
レンズ 始面   焦点距離               
18     32     80.930               
19     34    348.610               
20     36   -149.080               
【００８５】
【表１】
0006671930.tif 000003
【００８６】
【表２】
0006671930.tif 000004
【符号の説明】
【００８７】
ＯＬｍ  主レンズ系      ＯＬｃ  コンバーターレンズ
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群
Ｌｐ  コンバーター中の正の屈折力の第１群
Ｌｎ  コンバーター中の負の屈折力の第２群
【図１】
0006671930.tif 000005
【図２】
0006671930.tif 000006
【図３】
0006671930.tif 000007
【図４】
0006671930.tif 000008
【図５】
0006671930.tif 000009
【図６】
0006671930.tif 000010
【図７】
0006671930.tif 000011
【図８】
0006671930.tif 000012
【図９】
0006671930.tif 000013
【図１０】
0006671930.tif 000014
【図１１】
0006671930.tif 000015
【図１２】
0006671930.tif 000016
【図１３】
0006671930.tif 000017